(57)【要約】      （修正有）【課題】照明用フードに構造的及び形状的な装飾を付与し、また照明手段からの光にも装飾的な要素を付与することができる照明装置を提供すること。【解決手段】照明装置は、周囲を照明するための照明手段４と、照明手段４を支持するための照明支持手段６と、照明支持手段６に取り付けられる照明用フード８とを備える。照明用フード８の少なくとも大部分に照明手段４からの光が通過する光通過部が設けられる。この光通過部は、波形状の金属製の線状部材２２がリング状又は螺旋状に巻かれ、隣接する線状部の一部が溶接により接合されるとともに、隣接する線状部の残部が離隔して隙間が存在する。線状部材２２として、その波形状のピッチが１５〜５０ｍｍであり、その波形状の高低幅が２〜１５ｍｍであるものを用いるのが好ましい。【選択図】図１
2017199648.tif 000002
【特許請求の範囲】
【請求項１】
周囲を照明するための照明手段と、前記照明手段を支持するための照明支持手段と、前記照明支持手段に取り付けられる照明用フードと、を備えた照明装置において、
前記照明用フードの少なくとも大部分に前記照明手段からの光が通過する光通過部が設けられ、前記光通過部は、波形状の金属製の線状部材がリング状又は螺旋状に巻かれ、隣接する線状部の一部が溶接により接合されるとともに、隣接する線状部の残部が離隔して隙間が存在することを特徴とする照明装置。
【請求項２】
前記照明用フードの前記光通過部における前記線状部材は、その波形状のピッチが１５〜５０ｍｍであり、その波形状の高低幅が２〜１５ｍｍであることを特徴とする請求項１に記載の照明装置。
【請求項３】
前記照明用フードの前記光通過部における前記線状部材は、鉄、ステンレス又はアルミニウムから形成され、その外径が０．６〜１．５ｍｍであることを特徴とする請求項１又は２に記載の照明装置。
【請求項４】
前記照明用フードの前記光通過部における隣接する線状部材の溶接部は周方向にランダムに設けられ、前記溶接部が前記光通過部にて模様を構成することを特徴とする請求項１〜３のいずれかに記載の照明装置。
【請求項５】
隣接する線状部材の前記溶接部は、外側から研磨加工又は研削加工が施されて溶接の肉盛りが研磨除去されて模様を構成することを特徴とする請求項４に記載の照明装置。
【請求項６】
前記照明用フードの前記光通過部は、前記照明用フードの実質上全域に設けられ、前記光通過部の外径はその中心線方向に連続的に変化していることを特徴とする請求項１〜６のいずれかに記載の照明装置。
【請求項７】
周囲を照明するための照明手段を覆うように照明装置に用いられる照明用フードにおいて、
少なくとも大部分に前記照明手段からの光が通過する光通過部が設けられ、前記光通過部は、波形状の金属製の線状部材がリング状又は螺旋状に巻かれ、隣接する線状部の一部が溶接により接合されるとともに、隣接する線状部の残部が離隔して隙間が存在することを特徴とする照明用フード。
【請求項８】
光を通過させて周囲に光模様を映し出すための光利用装飾体において、
少なくとも大部分に光が通過する光通過部が設けられ、前記光通過部は、波形状の金属製の線状部材における隣接する線状部の一部が溶接により接合されるとともに、隣接する線状部の残部が離隔して隙間が存在することを特徴とする光利用装飾体。
【発明の詳細な説明】
【技術分野】
【０００１】
本発明は、照明手段からの光を照明用フードを通して照らす照明装置及びこれに用いる照明用フード並びに光を利用して装飾する光利用装飾体に関する。
【背景技術】
【０００２】
照明用フードとして金属製のものを用いた照明装置が提案されている（例えば、特許文献１参照）。この照明装置は、電球などの照明手段と、この照明手段を覆う照明用フードとを備えている。照明用フードは、外形が円筒状であるフード本体を有し、このフード本体に中心軸方向に間隔をおいて複数のリング状スリットが設けられ、照明手段からの光がこれらリング状スリットを通して周囲を照明する。
【先行技術文献】
【特許文献】
【０００３】
【特許文献１】特開２００４−９５４８８号公報
【発明の概要】
【発明が解決しようとする課題】
【０００４】
しかしながら、上述した照明装置には、次の通りの解決すべき問題がある。第１に、フード本体にリング状スリットが単に設けられているのみであり、それ故に、主として照明手段からの光を遮ることを主目的とし、照明用フードの構造的及び形状的な装飾、また照明手段からの光による装飾などがほとんど考慮されてなく、室内装飾などに不向きである。第２に、円筒状部材の内周側に中心軸方向に延びるリング保持部が一体的に設けられ、この円筒状部材に例えば切削加工を施すことによって、リング状スリットを有する照明用フードが形成される（リング状スリットでは、リング保持部により接続される）ので、照明用フード自体の重量が重くなる。
【０００５】
本発明の目的は、照明用フードに構造的及び形状的な装飾を付与し、また照明手段からの光にも装飾的な要素を付与することができる照明装置を提供することである。
【０００６】
本発明の他の目的は、構造的及び形状的な装飾が施され、照明手段からの光にも装飾的な要素を付与することができる照明用フードを提供することである。
【０００７】
本発明の更に他の目的は、構造的及び形状的な装飾が施されているとともに、通過する光を利用して周囲に光模様を施すことができる光利用装飾体を提供することである。
【課題を解決するための手段】
【０００８】
本発明の照明装置は、周囲を照明するための照明手段と、前記照明手段を支持するための照明支持手段と、前記照明支持手段に取り付けられる照明用フードと、を備えた照明装置において、
前記照明用フードの少なくとも大部分に前記照明手段からの光が通過する光通過部が設けられ、前記光通過部は、波形状の金属製の線状部材がリング状又は螺旋状に巻かれ、隣接する線状部の一部が溶接により接合されるとともに、隣接する線状部の残部が離隔して隙間が存在することを特徴とする。
【０００９】
このような照明装置では、光通過部における線状部材として、その波形状のピッチが１５〜５０ｍｍであり、その波形状の高低幅が２〜１５ｍｍであるものを用いるのが好ましい。線状部材として鉄、ステンレス又はアルミニウムから形成されたものを用い、その外径が０．６〜１．５ｍｍであるのが好ましい。また、前記照明用フードの光通過部における隣接する線状部材の溶接部は周方向にランダムに設けられ、溶接部が光通過部にて模様を構成するようにするのが好ましい。更に、照明用フードの光通過部は、照明用フードの実質上全域に設けられ、光通過部の外径はその中心線方向に連続的に変化しているのが好ましい。
【００１０】
また、本発明の照明用フードは、周囲を照明するための照明手段を覆うように照明装置に用いられる照明用フードにおいて、
少なくとも大部分に前記照明手段からの光が通過する光通過部が設けられ、前記光通過部は、波形状の金属製の線状部材がリング状又は螺旋状に巻かれ、隣接する線状部の一部が溶接により接合されるとともに、隣接する線状部の残部が離隔して隙間が存在することを特徴とする。
【００１１】
更に、本発明の光利用装飾体は、光を通過させて周囲に光模様を映し出すための光利用装飾体において、
少なくとも大部分に光が通過する光通過部が設けられ、前記光通過部は、波形状の金属製の線状部材における隣接する線状部の一部が溶接により接合されるとともに、隣接する線状部の残部が離隔して隙間が存在することを特徴とする。
【発明の効果】
【００１２】
本発明の請求項１に記載の照明装置によれば、照明用フードの少なくとも大部分に光通過部が設けられ、この光通過部は、波形状の金属製の線状部材をリング状又は螺旋状に巻いて隣接する線状部の一部を溶接により接合し、隣接する線状部の残部が離隔して隙間が存在するので、照明手段からの照明光がこれらの隙間を通して外部を照射する。このとき、線状部材が波形状であるので、隣接する線状部の一部を接合した状態では、両者間の隙間は種々の形状となり、また各隙間の両端部は細く絞られたようになり、加えて照明用フードの外側の凸状部の多数の隙間を通してその内側の凹状部の多数の隙間を見るようになる。このようなことから、照明手段を点灯した状態において見る方向を変えると、照明用フードの外側の凹状部の多数の隙間とその内側の凹状部の多数の隙間との交差状態が変化し、かかる交差状態の変化があたかも池や湖の水面が小さく波立つように（或いは、陽炎が立ち上るように）見え、線状部間の隙間の交差状態が変化することによる照明光の視覚的変化を楽しむことができ、かくして、この照明装置を室内の照明に好都合に用いることができるとともに、その点灯状態において室内の装飾的なインテリア（照明用フード自体の装飾性、また線状部間の隙間の交差状態の変化により生じる照明光の視覚的変化による装飾性）としても用いることができる。
【００１３】
また、本発明の照明用フードによれば、少なくとも大部分に光通過部が設けられ、この光通過部は、波形状の金属製の線状部材をリング状又は螺旋状に巻いて隣接する線状部の一部を溶接により接合し、隣接する線状部の残部が離隔して隙間が存在するので、照明手段からの照明光がこれらの隙間を通して照射され、このような照明用フードを照明装置に用いることにより、上述したと同様の作用効果が達成される。
【００１４】
更に、本発明の光利用装飾体によれば、この基本的構成が照明用フードと略同様であるので、照明装置からの光（照明光）（又は外部からの自然光）が光利用装飾体を通過し、このように光が通過することにより、上述したと同様の作用効果が達成される。
【図面の簡単な説明】
【００１５】
【図１】本発明に従う照明装置（本発明に従う照明用フードを備えた照明装置）の一実施形態をその上半分を断面で示す半断面図。
【図２】図１の照明装置における照明用フードに用いる線状部材の一部を拡大して示す部分拡大図。
【図３】図１の照明装置における照明用フードの光通過部の一部を拡大して示す部分拡大図。
【図４】図４（ａ）は、図１の照明装置の照明用フードにおいて線状部材が交差した溶接部を拡大して示す部分拡大図、図４（ｂ）は、線状部材が接触した溶接部を拡大して示す部分拡大図。
【図５】図５（ａ）は、図４（ｂ）におけるＶ−Ｖ線による断面であって、線状部材の溶接部を加工しない状態で示す断面図、図５（ｂ）は、図４（ｂ）におけるＶ−Ｖ線による断面であって、線状部材の溶接部に加工を施した後の状態を示す断面図。線状部材の変形形態の一部を拡大して示す部分拡大図。
【図６】線状部材の変形形態の一部を拡大して示す部分拡大図。
【図７】照明装置の他の実施形態をその上半分を断面で示す半断面図。
【図８】本発明に従う光利用装飾体の一実施形態を使用した一例を示す簡略断面図。
【図９】図８の光利用装飾体を示す正面図。
【図１０】図１０（ａ）は、照明用フードを製作した一例を示す写真、図１０（ｂ）は、図１０（ａ）の照明用フードを用いた照明装置を点灯させた状態を示す写真。
【図１１】照明フードの他の例を用いた照明装置を点灯させた状態を示す写真。
【発明を実施するための形態】
【００１６】
以下、添付図面を参照して、本発明に従う照明装置、これに用いる照明用フード並びに光利用装飾体の各種実施形態について説明する。
【００１７】
まず、図１〜図５を参照して、一実施形態の照明装置（これに用いられる照明用フード）について説明する。
【００１８】
図１において、図示の照明装置２は、周囲を照明するための照明手段４と、照明手段４を支持するための照明支持手段６と、この照明支持手段６に取り付けられる照明用フード８と、を備えている。図示の照明手段４は照明用電球１０から構成され、この照明用電球１０が照明支持手段６に取り付けられる。尚、この照明手段４として、照明用電球１０に代えて、例えば照明用ＬＥＤランプなどを用いるようにしてもよい。
【００１９】
図示の照明支持手段６は円筒状の支持本体１２を備え、この支持本体１２の先端部に環状フランジ１４が設けられ、この環状フランジ１４に照明用フード８が後述するように係止される。支持本体１２の先端面には電球装着部１６が設けられ、かかる電球装着部１６に照明用電球１０が取換え可能に取り付けられる。また、支持本体１２の後端面からは電気コード１８が延びており、かかる電気コード１８を通して照明用電球１０に電気が供給される。
【００２０】
また、図示の照明用フード８（本発明に従う照明用フードの一実施形態）は、照明用電球１０の周囲を覆うフード部２０と、このフード部２０の上端部に設けられた環状取付部２１とを有し、この環状取付部２１が支持本体１２の環状フランジ１４に載置係止される。尚、環状取付部２１を環状フランジ１４に載置し、かく載置した状態で固定用ボルト（図示せず）などにより環状取付部２１を支持本体１２に固定するようにしてもよい。
【００２１】
この照明用フード８のフード部２０は、次のように構成されている。図示のフード部２０は、その実質上全体が光通過部として構成され、照明用電球１０からの照明光は、このフード部２０（光通過部）を通して周囲を照らす。
【００２２】
このフード部２０は、図２に示す線状部材２２を図３に示すように溶接接合して形成される（尚、図１においては、フード部２０の上下方向中央部付近の線状部材２２を省略して示している）。主として図２を参照して、線状部材２２は波形状に形成され、その波形状のピッチＰは１５〜５０ｍｍ程度、好ましくは２０〜４０ｍｍ程度に構成され、その波形状の高低差Ｈは２〜１５ｍｍ程度、好ましくは４〜１２ｍｍ程度に構成される。線状部材２２の波形状のピッチＰが５０ｍｍを超える、又はその高低差Ｈが１５ｍｍを超えると、線状部材２２を溶接接合した場合に隣接する線状部間の隙間が大きくなり過ぎ、またそのピッチＰが１５ｍｍより小さい、又はその高低差Ｈが２ｍｍより小さいと、線状部材２２を溶接接合した場合に隣接する線状部間の隙間がほとんどなくなり、これらの場合、照明用フード８を製作する際に線状部材２２により装飾的模様を施すことが難しくなり、また照明手段４の点灯状態において見る方向を変えることによって線状部間の隙間の交差状態が変化することによる照明光の視覚的変化が生じ難くなる。
【００２３】
線状部材２２としては、例えば、鉄、ステンレス、アルミニウムかどから形成されたものを用いることができる。また、線状部材２２としては、断面が円形状のもので、外径が０．６〜１．５ｍｍであるものを好適に用いることができる。線状部材２２の外径が０．６ｍｍより細いと、照明用フード８に所望の強度を持たせることが難しく、またその外径が１．５ｍｍより太くなると、線状部材２２を波形状に加工したり、波形状に加工した線状部材２２を曲げながら溶接接合するのが難しくなる。
【００２４】
このような線状部材２２を用いた溶接接合は、例えば、図１及び図３から理解されるように、次のように行われる。即ち、線状部材２２の溶接は、照明用フード８の一端側（上端側）の環状取付部２１側から行われ、線状部材２２の一端側がこの環状取付部２１の周囲に溶接固定され、このように溶接固定した後に、その他端側に向けて上下方向（図１及び図３において上下方向）に隣接する線状部材２２の線状部２２ａを溶接接合するように行われる。この溶接接合は、図３及び図４（ａ）において参照番号３２で示す溶接部位のように、相互に隣接する線状部２２ａを照明用フード８の径方向に重ね（例えば、上側の線状部２２ａの径方向外側に下側の線状部２２ａを交差するように重なる、或いは一部が径方向に重複するように重なる）、このように重ねた状態にて溶接するようにしてもよく、或いは図３及び図４（ｂ）において参照番号３４で示す溶接部位のように、相互に隣接する線状部２２ａを上下方向に近接乃至接触させ、このように近接乃至接触した状態にて溶接するようにしてもよい。これらの溶接は、溶接棒を用いる一般的な溶接で行うことができ、スポット溶接などでもよい。
【００２５】
これらの溶接部位３２，３４は、周方向にランダムに位置するように設け、上下方向に一列に並ばないように配置するのが好ましく、このように配置することによって、これら溶接部位３２，３４がフード部２０（実施形態では、光通過部）にて模様を構成するようになる。また、これらの２種類の溶接状態を組み合わせて行うことにより、フード部２０の模様に更に変化を持たせることができる。
【００２６】
この線状部材２２は、照明用フード８の環状取付部２１から溶接固定された線状部材２２の線状部２２ａ（環状取付部２１側の線状部２２ａ）に対して下側（先端側）に螺旋状に丸く巻くように位置付けて上述したように溶接結合され、また螺旋状に代えてリング状に丸く巻くように位置付けて溶接結合され、これらの巻き方により線状部材２２による種々の模様を付することができる。
【００２７】
これらの溶接部３４（３２）は、溶接した状態では、図５（ａ）で示すように、溶接の際に肉が付き、この溶接肉３５が外側に盛り上がるようになり、このように盛り上がった状態でよい場合には、そのままの状態が仕上がり状態となり、照明用フード８が完成する。
【００２８】
このように肉盛りされた状態では、溶接による凹凸が溶接肉３５の表面に存在するために、図５（ｂ）で示すように、この溶接肉３５をサンザーなどで研磨加工又は研削加工を施して肉盛りを研磨除去するようにしてもよく、この場合、この溶接部３４（３２）の表面が平らにきれいになり、より装飾性を高めることができるとともに、手で触れたときの安全性も確保することができる。
【００２９】
照明用フード８のフード部２０に線状部材２２をこのように巻いて光通過部を形成した後に、その先端部（図１において下端部）に先端環状部２４が溶接固定され、このように先端環状部２４を設けることにより、上述した線状部材２２の端部をきれいに処理することができるとともに、照明用フード８の安全性を確保することができる。
【００３０】
上述したようにして製作した照明用フード８においては、図１及び図３から理解されるように、線状部材２２の上下方向に隣接する線状部２２ａは、周方向の一部において溶接結合され、これら隣接する線状部２２ａの残部が離隔して隙間が存在し、これら隙間を通して照明手段４からの照明光が周囲を照明するとともに、外部からはこれら隙間を通して照明用フード８内を見ることができる。
【００３１】
この照明装置２の照明手段４を点灯させた状態を外部から見ると、線状部材２２が波形状であるので、隣接する線状部２２ａの一部を接合した状態では、両者間の隙間は種々の形状となり、また各隙間の両端部は細く絞られたようになる。このようなことから、この点灯状態において見る方向を変えると、照明用フード８（フード部２０）の外側（即ち、見る側から見て手前側）の多数の隙間とその内側（即ち、見る側から見て奥側）の多数の隙間との交差状態が変化し、かかる交差状態の変化があたかも池や湖の水面が小さく波立つように見え、線状部材２２の交差状態が変化することによる照明光の視覚的変化を楽しむことができる。
【００３２】
また、この実施形態では、図１に示すように、フード部２０（光通過部）の外形が筒状で、その外径が中心線方向（図２において上下方向）に連続的に変わり（大きく又は小さくなり）、その上部においては、上下方向中央部に向けて外径が漸増した後漸減し、その下部においてはこの中央部に向けて漸増している。このような照明用フード８を備えたものでは、その点灯状態において見る方向を変えると、フード部２０の外側（即ち、凸状面側）の多数の隙間とその内側（即ち、凹状面側）の多数の隙間との交差状態がより複雑に変化し、この交差状態の複雑な変化が照明光の視覚的変化をより生じさせやすくしている。
【００３３】
この照明用フード８においては、フード部２０（光通過部）の外周面（線状部材２２の外側に位置する部位）とその内周面（線状部材２２の内側に位置する部位）とに異なる彩色を施すことができる。フード部２０の外周面に、例えば茶系統、黒系統の少し暗い色を施し、その内周面に、例えば白系統、オレンジ系統の明るい色を施すようにしてもよく、このように彩色を施した場合、フード部２０の内周面側が浮き出るようになり、これによって、点灯状態における照明光の上述した視覚的変化をより視認し易くなる。このような彩色は、例えば、線状部材２２自体に白系統（又はオレンジ系統など）の色を施し、そして、上述するように溶接接合して照明用フード８を形成した後、この照明用フード８の外周面に茶系統（又は黒系統など）の色を施すようにすることができる。
【００３４】
照明用フード８に用いる線状部材としては、図６に示すものを用いるようにしてもよい。図６において、図示の線状部材４２においては、線状部４４ａにおいては、その波形状のピッチＰ１が小さく、またその波形状の高低差Ｈ１も小さく形成されているのに対し、線状部４４ｂにおいては、その波形状のピッチＰ２が大きく（Ｐ１＜Ｐ２）、またその波形状の高低差Ｈ２も大きく（Ｈ１＜Ｈ２）形成されている。このような線状部材４２を用いることにより、フード部２０における線状部材４２による模様をより複雑にすることができる。
【００３５】
この線状部材４２による波形状のピッチＰ（Ｐ１，Ｐ２）については、３つ以上の異なる大きさのものを採用するようにしてもよく、また波形状の高低差Ｈ（Ｈ１，Ｈ２）についても、３つ以上の異なる大きさのものを採用するようにしてもよい。
【００３６】
また、上述した形態では、線状部材２２（４２）として一種類のものを用いてフード部２０を製作しているが、波形状のピッチＰ（Ｐ１，Ｐ２）及び／又は波形状の高低差Ｈ（Ｈ１，Ｈ２）の異なる複数種の線状部材を用い、これら複数種の線状部材を組み合わせて製作するようにしてもよい。
【００３７】
また、上述した実施形態では、照明用フード８のフード部２０の実質上全域を線状部材２２（４２）を用いて構成し、このフード部２０の実質上全体を光通過部として構成しているが、例えば、図７に示すように構成し、フード部の少なくとも大部分（例えば、７０％以上の部分）を光通過部として構成することによって、照明装置としての上述した所望の効果を得ることができる。
【００３８】
図７において、他の実施形態における照明装置２Ａにおいては、照明用フード８Ａのフード部２０Ａは、環状取付部２１に接続される第１フード部５２と、この第１フード部５２から下方（先端部）に延びる第２フード部５４とから構成されている。第１フード部５２はプレート状部材から構成され、その上端部が環状取付部２１に取り付けられ、照明手段４（照明用電球１０）からの光を遮蔽し、反射面として機能させることができる。また、第２フード部５４は、上述したフード部と同様にして線状部材２２から構成され、光通過部を構成する。第２フード部５４の上端部は、第１フード部５２の下端部に固定され、その下端部には先端環状部２４が固定されている。この他の実施形態の照明装置２Ａおけるその他の構成は、上述した実施形態と実施津上同一である。
【００３９】
この他の実施形態の照明装置２Ａにおいても、照明用フード８Ａのフード部２０Ａの大部分を占める第２フード部５４が線状部材２２を用いて上述したと同様に構成されているので、この他の実施形態においても、上述した実施形態と同様の作用効果が達成される。
【００４０】
このような照明用フード８（８Ａ）の構造は、照明装置以外にも適用することができ、光を利用する装飾体（換言すると、光利用装飾体）にも同様に適用することができる。光利用装飾体の適用例を示す図８及び図９において、図示の光利用装飾体１０２は、矩形状の枠本体１０４を備え、この枠本体１０４の内側に光通過部１０６が設けられている。光通過部１０６は、光利用装飾体１０２の少なくとも大部分（全体の面積の例えば７０％以上の部分）に設けられ、図９に示すように、上述した照明装置２（２Ａ）における照明用フード８（８Ａ）のフード部２０（第２フード部５４）を製作するのに用いた線状部材２２（４２）を用い（図２、図６参照）、上述したと略同様に溶接接合して製作される。この光利用装飾体１０２では、枠本体１０４に取り付けられるので、線状部材２２（４２）の隣接する線状部２２ａを平面的に溶接接合するようになる。
【００４１】
この光利用装飾体１０２は、例えば、図８に示すように用いられる。例えば、建造物（例えば、部屋）の床面１０８に例えば間仕切り体１１０を設置し、この間仕切り体１１０の一部に光利用装飾体１０２を嵌め込むように取り付けられる。この間仕切り体１１０の片側（図８において左側）の空間１１４には照明手段１１２が設けられ、その他側（図８において右側）の空間１１６に光利用装飾体１０２を見る人が居るようになる。このように配置することにより、照明手段１１２（即ち照明ランプ１１８）からの照明光は、図８に一点鎖線で示すように、この光利用装飾体１０２の光通過部１０６を通して他側の空間１１６に投射される。
【００４２】
このような照射状態において、他側の空間１１６内に居る人が間仕切り体１１０側を見たときには、照明手段１１２からの照射光によって、この光利用装飾体１０２が複雑な光通過状態となる。即ち、線状部材が波形状であるので、隣接する線状部の一部を接合した状態では、両者間の隙間は種々の形状となり、また各隙間の両端部は細く絞られたようになり、従って、見る方向を変えることにより、線状部材２２（４２）の隣接する線状部２２ａの間隙の模様が変化し、かかる間隙の模様の変化によって、聡明装置の照明用フードと同様に、照明光の視覚的変化を楽しむことができる。
【００４３】
また、空間内に居る人が空間１１６の壁１２０（壁面１２０ａ）を見たときには、光利用装飾体１０２の陰影模様がこの壁面１２０ａに映し出され、この光通過部１０６の複雑な模様を陰影模様として視覚的に楽しむことができる。
【００４４】
この光利用装飾体１０２の使用例では、照明手段１１２からの光を利用して光利用装飾体１０２の模様及び／又はその陰影模様を視覚的に楽しむように用いているが、照明手段１１２からの照明光に代えて、自然光（太陽又は月の光）を利用してこの光利用装飾体１０２の模様及び／又はその陰影模様を視覚的に楽しむように用いるようにしてもよい。
【００４５】
図１０は、照明装置に実際に適用した適用例を示している。図１０（ａ）は、照明装置に用いる照明用フードの製作例を示し、図１０（ｂ）は、製作した照明用フードを照明装置に用いて点灯した状態を示している。図１０から理解されるように、照明用フード自体でも複雑な模様となっているが、点灯した状態においては、少し見づらいが、照明装置の周囲に複雑な陰影模様が映し出されていることが判る。
【００４６】
図１１は、照明装置に実際に適用した他の適用例において点灯した状態を示している。図１１から理解されるように、点灯した状態においては、周囲からこの照明装置を見ることにより、照明用フードの複雑な模様が幻想的に浮き出たようになることが判る。
【００４７】
以上、本発明に従う照明装置、これに用いる照明用フード並びに光利用装飾体の各種実施形態について説明したが、本発明はかかる実施形態に限定されるものではなく、本発明の範囲を逸脱することなく種々の変更乃至修正が可能である。
【符号の説明】
【００４８】
２，２Ａ  照明装置
４，１１４  照明手段
６  照明支持手段
８，８Ａ  照明用フード
２０，２０Ａ  フード部
２２，４２  線状部材
２２ａ．４２ａ  線状部
３２，３４  溶接部位
１０２  光利用装飾体
１０４  枠本体
１０６  光通過部
【図１】
2017199648.tif 000003
【図２】
2017199648.tif 000004
【図３】
2017199648.tif 000005
【図４】
2017199648.tif 000006
【図５】
2017199648.tif 000007
【図６】
2017199648.tif 000008
【図７】
2017199648.tif 000009
【図８】
2017199648.tif 000010
【図９】
2017199648.tif 000011
【図１０】
2017199648.tif 000012
【図１１】
2017199648.tif 000013